(57)【要約】      （修正有）【課題】庫内の冷気循環通風路空間に配置した冷却器ので熱交換した低温空気を庫内に循環送風して陳列商品を保冷する冷気循環式ショーケースで、冷却器前面面積を拡大することで、冷却器前面の霜閉鎖が生じてもフィン間への冷気流れが阻害されないで、庫内吹出し風速が維持できて、庫内冷却性能が除霜直前まで保てる。【解決手段】端板２２とこの端板２２に間隔を存して並行に配置したフィン２３の間を蒸発コイルを蛇行するように配管し、上面を上板２８で閉塞して、流入側前面の流入口２９と流出側後面の流出口３０を有するものとして横置にしたフィンチューブ形蒸発コイルの冷却器１０において、前記流入側前面の流入口２９を拡大するものとして、冷却器１０の上側にフィン２３が存在しない空気流入開口αを設けた。【選択図】図３
2012102972.tif 000002
【特許請求の範囲】
【請求項１】
庫内の冷気循環通風路空間に配置した冷却器の配管に高圧側冷媒配管、膨張弁を通じて冷媒を供給し、該冷却器で熱交換した低温空気を庫内に循環送風して陳列商品を保冷する冷気循環式ショーケースで、
端板とこの端板に間隔を存して並行に配置したフィンの間を蒸発コイルを蛇行するように配管し、上面を上板で閉塞して、流入側前面の流入口と流出側後面の流出口を有するものとして横置にしたフィンチューブ形蒸発コイルの冷却器において、
前記流入側前面の流入口を拡大するものとして、冷却器の上側にフィンが存在しない空気流入開口を設けたことを特徴とする冷気循環式ショーケースの冷却器。
【請求項２】
フィンが存在しない空気流入開口は、左右の端板を前方が拡径する台形状とし、前方が拡径しない長方形フィンに対して、前端同士に上下幅の差があるものとし、その結果として、上板前端をフィン前端から上方に離間させて形成する請求項１記載の冷気循環式ショーケースの冷却器。
【請求項３】
フィンが存在しない空気流入開口は、長方形の場合に比してフィンの前端上側を切り欠き、前端同士に上下幅の差があるものとし、その結果として、左右の長方形の端板間に載せる上板前端からフィン前端を下方に離間させて形成する請求項１記載の冷気循環式ショーケースの冷却器。
【請求項４】
フィンが存在しない空気流入開口は、長方形の場合に比してフィンの前端上側と下側を切り欠き、前端同士に上下幅の差があるものとし、左右の長方形の端板間に載せる上板前端からフィン前端を下方に離間させ、かつ左右の長方形の端板の下方に固定する底面前端からフィン前端を上方に離間させて形成する請求項１または請求項３記載の冷気循環式ショーケースの冷却器。
【発明の詳細な説明】
【技術分野】
【０００１】
本発明は、オープンショーケースを対象とする冷気循環式ショーケースの冷却器に関するものである。
【背景技術】
【０００２】
まず、オープンショーケースの一例である平形オープンショーケースを対象に、冷気循環式ショーケースの全体構造を図５に示す。
【０００３】
上面開放形ケース本体の断熱筐体になる外箱１の内側に、内箱２を配置し、外箱１と内箱２の間を循環風路空間３として確保し、この循環風路空間３の一端を吸込口４、他の一端を送風口５として形成し、ケース本体の上面開放面に臨ませる。図中６は送風口５に配設する整流板である。
【０００４】
内箱２の内側は庫内として、底部にベースデッキ７を配し、その上にすのこ８を配置して商品収納スペース９として形成する。
【０００５】
前記循環風路空間３には、冷却器（冷凍機の蒸発器（エバポレータ））１０を設置し、冷却器１０の上流側に配置したファンプレナム１１により、送風ファン１２を支承した。
【０００６】
外箱１の下部は機械室１３となり、ここにアキュームレーター１４、凝縮器１５、圧縮器１６、吸入管マフラー１７等を配置する。
【０００７】
上記の構成で、ショーケースの保冷運転時には図示矢印のように冷風が循環送風され、その循環通風の途上で冷却器１０との熱交換により低温になった冷気が庫内に吹き出して、ケース本体の上面開放面を閉塞する冷気エアーカーテン１８を形成し、これが商品収納スペース９に陳列した商品を保冷することは周知の通りである。
【０００８】
前記の冷却器１０としては、従来のショーケースでは冷却面積を大きくするためにフィンチューブ形の蒸発コイルが一般に採用されており、図６に示すようにこの蒸発コイル２１には高圧側冷媒配管２４から膨張弁２５を介して液冷媒を供給している。また、蒸発コイル２１は端板２２とこの端板２２に間隔を存して並行に配置したフィン２３の間を蛇行状（ジグザグ）するように配管される。
【０００９】
また、冷却器１０の蒸発コイル２１では蒸発コイル２１が２系統に分けて配管され、各系統の蒸発コイル２１が分岐ヘッダー２６を介し低圧側冷媒配管２７に接続される。
【００１０】
図中２８は、冷却器１０の上面を閉塞する上板で、平坦なものとして冷却器１０の上面を覆い、冷却器１０にはフィン２３が臨む、流入側側面と流出側側面のみの流入口２９、流出口３０が形成される。
【００１１】
ところで、フィンチューブ形蒸発コイルの冷却器１１は保冷運転時に湿気を含んだ庫内空気が冷却器１１を通風することから、蒸発コイル２１、フィン２３の表面（低温）に霜が発生し、保冷運転の時間経過とともにこの着霜量が増加してフィン間の通風路が狭まるようになると冷却器の風損が増大して庫内の循環通風量が減少し、これが原因でショーケースの保冷性能が低下するようになる。
【００１２】
空気中の水分は、霜となってフィン２３および蒸発コイル２１に付着する。特に冷媒の蒸発温度が低い場合には、前記霜は運転時間の経過とともに、空気の入口側のフィン先端に団子状の霜に成長する。このため、冷却器１０では、フィン２３の間の空気が通る隙間が小さくなり、冷却能力が低下する不都合を生じる。
【００１３】
なお、ショーケースは周期的に保冷運転と除霜運転を交互に繰り返し、除霜運転時には冷却器１１にヒーターで加熱した空気を送り込んで蒸発コイル、フィンの着霜を除去するようにしている。
【００１４】
前記性能低下を抑制するため、従来では蒸発器アルミフィンに均一に霜が着霜するようなフィンの親水性処理や、下記特許文献１に示すように蒸発器空気入口側のアルミフィンがくし歯状になるように長さの異なるフィンを互い違いに設ける等の対策(ステージング)を実施している。
【特許文献１】実開昭６０−６８３６５号公報
【００１５】
この特許文献１によれば、フィンの先端が、軸線部を除いて交互に高低しているために、フィンの先端に団子状上に霜が成長しても、空気の通る隙間はさほど狭くならず、所要の冷却能力が保持される。
【発明の開示】
【発明が解決しようとする課題】
【００１６】
前記特許文献１の冷却器では、フィンピッチを広げるために、フィンの欠如部を空気入口に設けることになり、好ましくない。
【００１７】
さらに、冷却器全体で見ると着霜による通風路の目詰まり防止機能が十分に発揮されない。
【００１８】
本発明は前記不都合を解消し、冷却器前面面積を拡大することで、冷却器前面の霜閉鎖が生じても冷気流れが阻害されないようにすることができる冷気循環式ショーケースの冷却器を提供することにある。
【課題を解決するための手段】
【００１９】
前記目的を達成するため、請求項１記載の本発明は、庫内の冷気循環通風路空間に配置した冷却器の配管に高圧側冷媒配管、膨張弁を通じて冷媒を供給し、該冷却器で熱交換した低温空気を庫内に循環送風して陳列商品を保冷する冷気循環式ショーケースで、端板とこの端板に間隔を存して並行に配置したフィンの間を蒸発コイルを蛇行するように配管し、上面を上板で閉塞して、流入側前面の流入口と流出側後面の流出口を有するものとして横置にしたフィンチューブ形蒸発コイルの冷却器において、前記流入側前面の流入口を拡大するものとして、冷却器の上側にフィンが存在しない空気流入開口を設けたことを要旨とするものである。
【００２０】
請求項１記載の本発明によれば、冷却器の流入面が拡大されるものであり、その分、霜での閉鎖が少なくなる。特に、冷却器前面の流入面積を拡大するのに、冷却器前面上側にも空間を設け、冷気流れが冷却器フィンの前面だけでなく、上面の一部からも冷却器フィン間を通過できるようになる。
【００２１】
請求項２記載の本発明は、フィンが存在しない空気流入開口は、左右の端板を前方が拡径する台形状とし、前方が拡径しない長方形フィンに対して、前端同士に上下幅の差があるものとし、その結果として、上板前端をフィン前端から上方に離間させて形成することを要旨とするものである。
【００２２】
請求項２記載の本発明によれば、冷却器前面の流入面積を拡大するものとして冷却器前面上側にも空間を設けるのに、左右の端板の形状工夫を凝らすだけで、簡単に実現できる。
【００２３】
請求項３記載の本発明は、フィンが存在しない空気流入開口は、長方形の場合に比してフィンの前端上側を切り欠き、前端同士に上下幅の差があるものとし、その結果として、左右の長方形の端板間に載せる上板前端からフィン前端を下方に離間させて形成することを要旨とするものである。
【００２４】
請求項３記載の本発明によれば、冷却器前面の流入面積を拡大するものとして冷却器前面上側にも空間を設けるのに、フィンの形状に工夫を凝らすだけで、簡単に実現できる。
【００２５】
請求項４記載の本発明は、フィンが存在しない空気流入開口は、長方形の場合に比してフィンの前端上側と下側を切り欠き、前端同士に上下幅の差があるものとし、左右の長方形の端板間に載せる上板前端からフィン前端を下方に離間させ、かつ左右の長方形の端板の下方に固定する底面前端からフィン前端を上方に離間させて形成することを要旨とするものである。
【００２６】
請求項４記載の本発明によれば、冷却器前面の流入面積を拡大するものとして冷却器前面上側に加えて下側にも切欠を加えることで、フィンへの着霜防止が期待できる。
【発明の効果】
【００２７】
以上述べたように本発明の冷気循環式ショーケースの冷却器は、冷却器前面面積を拡大することで、冷却器前面の霜閉鎖が生じてもフィン間への冷気流れが阻害されないで、庫内吹出し風速が維持できる。吹出し風速が維持できることにより、庫内冷却性能が除霜直前まで保たてる。
【発明を実施するための最良の形態】
【００２８】
以下、図面について本発明の実施形態を詳細に説明する。図１は本発明の冷却器を備えた冷気循環式ショーケースの１実施形態を示す縦断側面図で、図２同上要部の説明図、図３は同上の斜視図である。
【００２９】
平形オープンショーケースとしては、その基本構成は前記図５で説明した通りであり、同一構成要素には同一参照符号を付したが、図１に示すように、平形オープンショーケースとしては、上面開放形ケース本体の断熱筐体になる外箱１の内側に、内箱２を配置し、外箱１と内箱２の間を循環風路空間３として確保し、この循環風路空間３の一端を吸込口４、他の一端を送風口５として形成して、ケース本体の上面開放面に臨ませるものである。図中６は送風口５に配設する整流板を示す。
【００３０】
内箱２の内側は庫内として、底部にベースデッキ７を配し、その上にすのこ８を配置して商品収納スペース９として形成する。
【００３１】
また、前記循環風路空間３には、冷却器１０を設置し、冷却器１０の上流側に配置したファンプレナム１１により、送風ファン１２を支承した。
【００３２】
外箱１の下部は機械室１３となり、ここにアキュームレーター１４、凝縮器１５、圧縮器１６、吸入管マフラー１７等を配置する。
【００３３】
前記冷却器１０は、周知なように、冷却面積を大きくするためにフィンチューブ形の蒸発コイル２１が一般に採用されており、図３に示すように、蒸発コイル２１には高圧側冷媒配管２４から膨張弁２５を介して液冷媒を供給している。また、蒸発コイル２１は端板２２とこの端板２２に間隔を存して並行に配置したフィン２３の間を蛇行状（ジグザグ）するように配管される。
【００３４】
また、蒸発コイル２１は２系統に分けて配管され、各系統の蒸発コイル２１が分岐ヘッダー２６を介し低圧側冷媒配管２７に接続される。
【００３５】
図３に示すように、冷却器１０は端板２２とこの端板２２に間隔を存して並行に配置したフィン２３の上面を上板２８で上面を覆い、閉塞して、フィン２３が臨む流入口２９は冷却器１０の流入側側面に、流出口３０は冷却器１０の流入側側面に形成するものであるが、本発明は、このような冷却器１０において、フィン２３が存在しない空気流入開口αを前記流入側前面の流入口２９を拡大するものとして上側に設けた。
【００３６】
該空気流入開口αを形成するには、図２に示すように、前記左右の端板２２は、前方が拡径する台形状とし、前方が拡径しない長方形フィン２３に対して、
前端同士に上下幅の差があるものとし、その結果、上板２８の前端２８ａをフィン２３の前端２３ａから上方に離間させた。
【００３７】
前記端板２２の台形状は、前端側と後端側の寸法比は、およそ、１．１０〜１．１５：１とする。
【００３８】
図４は本発明の第２実施形態を示すもので、前記フィン２３が存在しない空気流入開口αは、長方形の場合に比してフィン２３の前端上側に三角形状の切り欠き２３ｂを形成し、長方形の場合に比して前端同士に上下幅の差があるものとし、その結果として、左右の長方形の端板２２間に載せる上板２８の前端２８ａからフィン２３の前端２３ａを下方に離間させて形成する。
【００３９】
フィン２３の形状を寸法は、前端側：後端側寸法比はおよそ０．８０〜０．９０：１とし、前記三角形状の切り欠き２３ｂは１／５〜１／３Ｄとなるようにした。
【００４０】
このように、フィン２３が存在しない空気流入開口αを設けて冷却器前面面積を拡大することで、冷却器前面の霜閉鎖が生じてもフィン間への冷気流れが阻害されないで、庫内吹出し風速が維持できる。吹出し風速が維持できることにより、庫内冷却性能が除霜直前まで保たてる。
さらに、前記フィン２３については三角形状の切り欠きをフィン２３の下側にも形成させれば、冷却器前面の下側の面積を拡大するのと同じ効果をもたらすこととなる。
【図面の簡単な説明】
【００４１】
【図１】本発明の冷却器を備えた冷気循環式ショーケースの１実施形態を示す縦断側面図である。
【図２】本発明の冷却器の第１実施形態を示す要部の説明図である。
【図３】本発明の冷却器の第１実施形態を示す斜視図である。
【図４】本発明の冷却器の第１実施形態を示す要部の説明図である。
【図５】平形オープンショーケースの全体構造を示す縦断側面図である。
【図６】従来例を示す冷却器の斜視図である。
【符号の説明】
【００４２】
１  外箱                    ２  内箱
３  循環風路空間            ４  吸込口
５  送風口                  ６  整流板
７  ベースデッキ            ８  すのこ
９  商品収納スペース        １０  冷却器（エバポレータ）
１０ａ  蒸発コイル          １０ｂ  端板
１０ｃ  フィン              １１  ファンプレナム
１２  送風ファン            １３  機械室
１４  アキュームレーター      １５  凝縮器
１６  圧縮器    １７  吸入管マフラー
１８  冷気エアーカーテン
２１  蒸発コイル            ２２  端板
２２ａ  前端                ２３  フィン
２３ａ  前端                ２３ｂ  切り欠き
２４  高圧側冷媒配管
２５  膨張弁                ２６  分岐ヘッダー
２７  低圧側冷媒配管        ２８  上板
２８ａ  前端
２９  流入口              ３０  流出口
【図１】
2012102972.tif 000003
【図２】
2012102972.tif 000004
【図３】
2012102972.tif 000005
【図４】
2012102972.tif 000006
【図５】
2012102972.tif 000007
【図６】
2012102972.tif 000008